(57)【要約】【課題】実現が容易でフローティング量の調整を容易とする。【解決手段】コネクタ２をパネル１上に載置し、コネクタ２のパネル１の雌ねじ部１ａに対応した位置に雌ねじ部１ａの径Ｄ３より径Ｄ２が大きい取付孔２ａを設け、またパネル１上にはコネクタ２を跨いでコネクタ２と接触しないようにコの字形ブロック４を載置し、コの字形ブロック４にの雌ねじ部１ａと対応した位置に挿通孔４ａを設け、取付ねじ５の雄ねじ部５ａを挿通孔４ａ及び取付孔２ａに挿通して頭部５ｂがコの字形ブロック４に当接した状態で雌ねじ部１ａに螺着する。【選択図】図１
2008262798.tif 000002
【特許請求の範囲】
【請求項１】
雌ねじ部を有するパネルと、パネル上に載置され、パネルの雌ねじ部と対応した位置に雌ねじ部より径が大きい取付孔を有するとともに、パネル及び対となるコネクタとの電気的接続部を有するコネクタと、パネル上にコネクタを跨いでコネクタと接触しないように載置され、パネルの雌ねじ部と対応した位置に挿通孔を有するコの字形ブロックと、雄ねじ部がコの字形ブロックの挿通孔及びコネクタの取付孔に挿通され、パネルの雌ねじ部に頭部がコの字形ブロックに当接した状態で螺着された取付ねじとを備えたことを特徴とするフローティングコネクタ。
【請求項２】
雌ねじ部を有するパネルと、パネル上に載置され、パネル及び対となるコネクタとの電気的接続部を有するコネクタと、パネル上のコネクタの両端部に対応した位置に載置され、コネクタの端部を該端部より高くかつ該端部との間にクリアランスをを有して覆う凹部が設けられるとともに、パネルの雌ねじ部と対応した位置に挿通孔を有する一対のブロックと、ブロックの挿通孔に挿通され、パネルの雌ねじ部に頭部がブロックに当接した状態で螺着された取付ねじとを備えたことを特徴とするフローティングコネクタ。
【発明の詳細な説明】
【技術分野】
【０００１】
この発明は、リムーバブルディスク装置等で使用されるフローティングコネクタに関するものである。
【背景技術】
【０００２】
例えば、リムーバブルディスク装置等で使用されるコネクタにおいては、オス側とメス側の嵌合後に振動や相互の位置ずれにより、コネクタに応力が集中し、コネクタの破損や接触不良の原因となる。そこで、コネクタをフローティング構造とすることが考えられる。
【０００３】
図３は従来のフローティング構造のコネクタの要部縦断正面図を示し、１は雌ねじ部１ａを有するパネル、２はパネル１上に載置されたオス側又はメス側のコネクタであり、パネル１及び対となるコネクタとの図示しない電気的接続部を有するとともに、パネル１の雌ねじ部１ａと対応した位置に取付孔２ａを有する。そして、コネクタ２の取付孔２ａに挿通した取付ねじ３の雄ねじ部３ａをパネル１の雌ねじ部１ａに螺合することにより、コネクタ２をパネル１に取り付ける。なお、取付ねじ３は雄ねじ部３ａと雄ねじ部３ａより径が大きい頭部３ｂとを有し、かつ雄ねじ部３ａと頭部３ｂとの間に両者の中間の径Ｄ１を有する段部３ｃが設けられる。又、コネクタ２の取付孔２ａの径Ｄ２は段部３ｃの径Ｄ１より大きく、コネクタ２の高さＨ２は段部３ｃの高さＨ１より低い。このように、段部３ｃの高さＨ１がコネクタ２の高さＨ２より大きく、かつ段部３ｃの径Ｄ１が取付孔２ａの径Ｄ２より小さいことにより、コネクタ２はその取付孔２ａの径Ｄ２と段部３ｃの径Ｄ１との隙間分だけフローティングが可能となる。
【０００４】
なお、この出願の発明に関連する先行技術文献情報としては、次のものがある。
【特許文献１】特開平２００３−１５１６８７号公報
【発明の開示】
【発明が解決しようとする課題】
【０００５】
図３に示すように、コネクタ２をフローティング構造とするためには、取付ねじ３の雄ねじ部３ａの径より段部３ｃの径Ｄ１を大きくし、さらに段部３ｃの径Ｄ１よりコネクタ２の取付孔２ａの径Ｄ２を大きくしなければならないが、例えば図４に示すように、雄ねじ部３ａの径Ｄ３より段部３ｃの径Ｄ１の方が小さい場合には、雄ねじ部３ａが雌ねじ部１ａに余分に螺入されてしまい、取付ねじ３の頭部３ｂがコネクタ２に当接し、コネクタ２がフローティングできなくなることがあり、また通常のコネクタ２は取付孔２ａの径Ｄ２があまり大きくないために、段部３ｃの径Ｄ１より小さいこともあり、フローティング構造とするのが困難であった。
【０００６】
この発明は上記のような課題を解決するために成されたものであり、実現が容易でフローティング量の調整が容易なフローティングコネクタを得ることを目的とする。
【課題を解決するための手段】
【０００７】
この発明の請求項１に係るフローティングコネクタは、雌ねじ部を有するパネルと、パネル上に載置され、パネルの雌ねじ部と対応した位置に雌ねじ部より径が大きい取付孔を有するとともに、パネル及び対となるコネクタとの電気的接続部を有するコネクタと、パネル上にコネクタを跨いでコネクタと接触しないように載置され、パネルの雌ねじ部と対応した位置に挿通孔を有するコの字形ブロックと、雄ねじ部がコの字形ブロックの挿通孔及びコネクタの取付孔に挿通され、パネルの雌ねじ部に頭部がコの字形ブロックに当接した状態で螺着された取付ねじとを備えたものである。
【０００８】
請求項２に係るフローティングコネクタは、雌ねじ部を有するパネルと、パネル上に載置され、パネル及び対となるコネクタとの電気的接続部を有するコネクタと、パネル上のコネクタの両端部に対応した位置に載置され、コネクタの端部を該端部より高くかつ該端部との間にクリアランスをを有して覆う凹部が設けられるとともに、パネルの雌ねじ部と対応した位置に挿通孔を有する一対のブロックと、ブロックの挿通孔に挿通され、パネルの雌ねじ部に頭部がブロックに当接した状態で螺着された取付ねじとを備えたものである。
【発明の効果】
【０００９】
以上のようにこの発明の請求項１によれば、取付ねじの頭部の当接によりコの字形ブロックを固定したので、取付ねじに段部を設ける必要が無く、従ってコネクタの取付孔の径も小さくて良く、フローティングコネクタを容易に実現することができ、また取付ねじの雄ねじ部の径とコネクタの取付孔の径との差を調整することにより、フローティング量を容易に調整することができる。
【００１０】
又、請求項２によれば、取付ねじの頭部の当接によりブロックを固定したので、取付ねじの段部は不要となり、またコネクタの取付孔は用いないので、その大小は関係なく、フローティングコネクタの実現が容易となる。又、ブロックの凹部とコネクタの端部とのクリアランスを調整することにより、フローティング量を容易に調整することができる。
【発明を実施するための最良の形態】
【００１１】
実施最良形態１
以下、この発明を実施するための最良の形態を図面とともに説明する。図１（ａ）〜（ｃ）はこの発明の実施最良形態１によるフローティングコネクタの要部平面図、要部縦断正面図及び要部側面図を示し、１は雌ねじ部１ａを有するパネル、２はパネル１上に載置され、パネル１の雌ねじ部１ａと対応した位置に雌ねじ部１ａの径Ｄ３より径Ｄ２が大きい取付孔２ａを有するとともに、パネル１及び対となるコネクタとの電気的接続部を有するコネクタである。４はパネル１上にコネクタ２を跨いでコネクタ２と接触しないように載置され、コの字形に形成されたコの字形ブロックであり、パネル１の雌ねじ部１ａと対応した位置に挿通孔４ａが形成されている。従って、コの字形ブロック４の内面高さＨ３は、コネクタ２の高さＨ２より高くなっている。５は雄ねじ部５ａと頭部５ｂとから構成された取付ねじであり、雄ねじ部５ａはコの字形ブロック４の挿通孔４ａ及びコネクタ２の取付孔２ａに挿通され、頭部５ｂがコの字形ブロック４に当接した状態でパネル１の雌ねじ部１ａに螺着された取付ねじである。上記構造は、取付パネル２の他端側においても同様に設けられている。
【００１２】
上記構成において、コの字形ブロック４は取付ねじ５の頭部５ｂの当接により固定されるので、取付ねじ４に段部が不必要となり、コネクタ２は取付孔２ａの径Ｄ２と取付ねじ５の雄ねじ部５ａの径Ｄ３との間に差があるので、この差の分だけフローティングが可能となる。
【００１３】
実施最良形態１においては、取付ねじ５の頭部５ｂの当接によりコの字形ブロック４を固定したので、取付ねじ５に段部が必要でなくなり、従ってコネクタ２の取付孔２ａの径もあまり大きくする必要もなくなり、フローティングコネクタを容易に実現することができ、オス側のコネクタとメス側のコネクタの嵌合後に振動や相互の位置ずれにより、コネクタ２に応力が集中して、コネクタ２の破損や接触不良を防ぐことができる。又、取付ねじ５の雄ねじ部５ａとコネクタ２の取付孔２ａとの径の差を調整することにより、フローティング量を容易に調整することができる。
【００１４】
実施最良形態２
図２（ａ）〜（ｃ）はこの発明の実施最良形態２によるフローティングコネクタの要部平面図、要部縦断正面図及び要部側面図である。パネル１及びコネクタ２は実施最良形態１と同様である。６はパネル１上のコネクタ２の両端部にそれぞれ対応した位置に載置された一対のブロックであり、ブロック６はコネクタ２の端部を覆う凹部６ａが設けられ、凹部６ａの高さＨ３はコネクタ２の端部の高さＨ２より高く形成され、またコネクタ２の端部との間には高さ方向を除いてクリアランスＣが形成されている。又、ブロック６はパネル１の雌ねじ部１ａと対応した位置に挿通孔６ｂが形成される。取付ねじ５の雄ねじ部５ａはブロック６の挿通孔６ｂに挿通され、パネル１の雌ねじ部１ａに頭部５ｂがブロック６に当接した状態で螺着される。
【００１５】
上記構成において、ブロック６の凹部６ａとコネクタ２の端部との間にはクリアランスＣが設けられるので、このクリアランスＣの分だけコネクタ２はフローティングが可能となる。
【００１６】
実施最良形態２においても、取付ねじ５の頭部５ｂの当接によりブロック６を固定しており、取付ねじ５に段部は不要となり、またコネクタ２はその取付孔２ａを用いないので、取付孔２ａの大小は関係なくなり、フローティングコネクタを容易に実現することができ、実施最良形態１と同様の効果を奏する。又、ブロック６とコネクタ２とのクリアランスＣを調整することにより、フローティング量を容易に調整することができる。
【図面の簡単な説明】
【００１７】
【図１】この発明の実施最良形態１によるフローティングコネクタの要部平面図、要部縦断正面図及び要部側面図である。
【図２】実施最良形態２によるフローティングコネクタの要部平面図、要部縦断正面図及び要部側面図である。
【図３】従来のフローティングコネクタの要部縦断正面図である。
【図４】従来のフローティングコネクタの課題を説明する要部縦断正面図である。
【符号の説明】
【００１８】
１…パネル
１ａ…雌ねじ部
２…コネクタ
２ａ…取付孔
４…コの字形ブロック
４ａ，６ｂ…挿通孔
５…取付ねじ
５ａ…雄ねじ部
５ｂ…頭部
６…ブロック
６ａ…凹部
【図１】
2008262798.tif 000003
【図２】
2008262798.tif 000004
【図３】
2008262798.tif 000005
【図４】
2008262798.tif 000006